(57)【要約】      （修正有）【課題】側板の折り畳みや立ち上げを、手間をかけずに行えるようにして、サイズの変更が手軽に行える梱包箱の提供。【解決手段】第一〜第四側板２〜５に、第一〜第四上面フラップ７〜１０をそれぞれ上端部に一体に取り付け、かつ、底面１１に平行な山折れ線１６〜１９を底面寄りに設ける。第一〜四側板２〜５は山折れ線１６〜１９より底面側において隣接する他の側板と一体にし、第一〜第四側板２〜５を各山折れ線１６〜１９より上面側において、第一側板２と隣接する第二および第三側板３・４とを一体にし、第一側板２に対向する第四側板５は、隣接する第二および第三側板３・４と分離可能にする。そして、第二および第三側板３・４にそれぞれ斜めの谷折れ線２０・２１を、各山折れ線１７・１８の第一側板２に近い方の端から対角線状に、かつ、各側板の第二および第三上面フラップ８・９に跨って設ける。【選択図】図１
0003127187.tif 000002
【実用新案登録請求の範囲】
【請求項１】
直方体状の形状を有する梱包箱であり、周囲第一〜第四側板には、第一〜第四上面フラップがそれぞれ上端部に一体に設けられ、かつ、底面と平行な山折れ線が底面寄りにそれぞれ設けられていて、これらの前記山折れ線は高さ方向において同じ位置になっており、前記第一〜第四側板が前記各山折れ線より底面側において隣接する他の側板と一体になっている梱包箱であって、
前記第一〜第四側板は前記各山折れ線より上面側において、
前記第一側板と隣接する前記第二および第三側板とが一体になっており、
前記第一側板に対向する前記第四側板は、隣接する前記第二および第三側板と分離可能で、
前記第二および第三側板にそれぞれ斜めの谷折れ線が、前記各山折れ線の前記第一側板に近い方の端から対角線状に、かつ、それぞれの前記第二および第三上面フラップに跨って設けられていることを特徴とする梱包箱。
【請求項２】
少なくとも前記第一側板の前記第一フラップと前記第二および第三上面フラップどうしが、先端部に形成した差込片を他の上面フラップに設けた差込口に差し込んで組み合わせる構成になっていることを特徴とする請求項１記載の梱包箱。
【請求項３】
前記第四上面フラップに、先端を前記第四側板の方向に向けた切り出し片が形成されており、この切り出し片は前記第四上面フラップの先端部を前記切り出し片の基端近傍で底面側に折り込むことによって反転し、この反転した前記切り出し片を差込可能な差込口が前記第一側板に設けられていることを特徴とする請求項１または２記載の梱包箱。
【請求項４】
前記第二および第三側板にそれぞれ、前記各山折れ線より上面側であって第四側板に近い方の側端部に連結片が一体で設けられており、これらの連結片と前記第四側板とがそれぞれ着脱自在な連結手段により分離可能になっていることを特徴とする請求項１〜３のいずれかに記載の梱包箱。
【請求項５】
前記第一〜第四側板の底面側の端部に、前記底面を構成する第一〜第四底面フラップがそれぞれ一体に設けられており、前記第一〜第三側板と前記第一〜第三上面フラップおよび前記第一〜第三底面フラップとが一体で形成されるとともに、前記第四側板と前記第四上面フラップおよび前記第四底面フラップとが一体で形成されていることを特徴とする請求項１〜４のいずれかに記載の梱包箱。
【請求項６】
前記山折れ線と前記谷折れ線とが交差する部分に、切込みまたは切欠きが設けられていることを特徴とする請求項１〜５のいずれかに記載の梱包箱。
【考案の詳細な説明】
【技術分野】
【０００１】
本考案は、サイズ変更が可能な梱包箱に関する。
【背景技術】
【０００２】
従来、不使用時の保管スペースを省略することができる梱包箱は、例えば、次のようなものが提案されている。この梱包箱は、上面、側面および底面の各板が一体的に形成され横長の直方体状の形状を有し、長手方向に配置された対向する一対の側板の中央部に縦方向に三本の折り曲げ線が等間隔で平行に設けられている。さらに、これら側板の上下にそれぞれ取り付いている上面フラップと底面フラップとには、側板の折り曲げ線を延長するようにして三本の折り曲げ線がそれぞれ設けられている。そして、上面および底面フラップを内側に折り込んだのちに、側板を上面および底面フラップと一緒に真中の折り曲げ線に沿って谷折りするとともに、両側の折り曲げ線を山折りすることによって、長手方向の梱包箱の長さを短くすることができる（例えば、特許文献１参照）。
【０００３】
また、高さを変えることができるものには、底板の周縁部に四枚の側板が連設され、対向する一組の側板の上端に上面フラップがそれぞれ連設されて、もう一方の対向する一組の側板に別の上面フラップが上端にそれぞれ連設されている梱包箱がある。この梱包箱の各側板には、底板に平行な折り曲げ線が高さ方向において同一位置に設けられており、折り曲げ線から下側の部分で隣接する側板どうしが連結されている。そして、各側板を折り曲げ線で内側に折り畳むことで高さを低くすることができ、また、各側板の折り曲げ線から上側を立ち上げることで高さを高くすることができる（例えば、特許文献２参照）。
【特許文献１】特開２００６−９６３７９号公報（第４〜５頁、第２〜３図）
【特許文献２】特開平９−１５６６３１号公報（第２頁、第１および４図）
【考案の開示】
【考案が解決しようとする課題】
【０００４】
しかしながら、前者の梱包箱では大きさを変更する場合、上面および底面フラップを一枚ずつ折り込んだり立ち上げたりしなければならず、さらに、長手方向に配置されている両側板を伸ばしたり縮めたりしなければならないので手間がかかる。また、後者の梱包箱の場合は、各側板を一枚ずつ折り畳んだり、立ち上げたりして梱包箱の大きさを変更するのでこれまた手間がかかる。
【０００５】
そこで本考案は、側板の折り畳みや立ち上げを手間をかけずに行えるようにして、サイズの変更が手軽に行える梱包箱の提供を目的としている。
【課題を解決するための手段】
【０００６】
請求項１記載の梱包箱は、直方体状の形状を有する梱包箱であり、周囲第一〜第四側板には、第一〜第四上面フラップがそれぞれ上端部に一体に取り付けられ、かつ、底面と平行な山折れ線が底面寄りにそれぞれ設けられていて、これらの前記山折れ線が高さ方向において同じ位置になっており、前記第一〜四側板は前記山折れ線より底面側において隣接する他の側板と一体になっている梱包箱であって、
前記第一〜第四側板を前記各山折れ線より上面側において、
前記第一側板と隣接する前記第二および第三側板とを一体にし、
前記第一側板に対向する前記第四側板は、隣接する前記第二および第三側板と分離可能で、
前記第二および第三側板にそれぞれ斜めの谷折れ線を、前記各山折れ線の前記第一側板に近い方の端から対角線状に、かつ、それぞれの前記第二および第三上面フラップに跨って設けることを特徴としている。
【０００７】
この請求項１の梱包箱によれば、前記第一〜第三側板および前記第一〜第三上面フラップを立ち上げた状態にして前記第一側板を内側に倒すと、前記谷折れ線が内方に折れ曲がり、前記第二と第三側板とが取り付けられている前記第二および第三上面フラップと共に内側に倒れ、前記第一〜第三側板および前記第一〜第三上面フラップを一度に折り畳むことができる。前記第四側板は前記第四上面フラップと共に、先に折り畳むこともできるし、後から折り畳むこともできる。このようにして前記第一〜第四側板を折り畳めば、前記梱包箱を前記底面から前記山折れ線までの高さにすることができる。
【０００８】
また、この折り畳んだ状態から前記第一側板を立ち上げると、前記谷折れ線で折り畳まれている前記第二および第三側板と前記第二および第三上面フラップとを展開させながら立ち上げることができるため、前記第一〜第三側板および前記第一〜第三上面フラップを一度に立ち上げることができる。前記第四側板および前記第四上面フラップは折り畳み方に応じて、先に立ち上げておくか、または、後から立ち上げる。このようにして前記第一〜第四側板を立ち上げると、前記梱包箱を使用状態に戻すことができる。
【０００９】
以上のように、前記第一〜第四側板の折り畳みと立ち上げとをたやすく行うことができるので、サイズの変更を手間をかけずに行える。
【００１０】
前記梱包箱は段ボールやプラスチック製シート、または、段ボールと同様の断面形状に形成されたプラスチック製の厚板などを用いて形成することができる。なお、前記梱包箱の上面を閉じる場合に、前記第一〜第四上面フラップをベルクロファスナ等の着脱自在な連結手段で互いに連結し合っても良いし、組み立て式や差し込み式にしても良い。また、前記第二および第三側板と前記第四側板とが合わさる部分には、これらの側板の少なくともいずれかに、隙間を塞ぐことができる連結片やラップ代等を設けておくことが好ましい。
【００１１】
請求項２の梱包箱は、少なくとも第一側板の前記第一フラップと第二および第三上面フラップどうしを、先端部に形成した差込片を他の上面フラップに設けている差込口に差し込んで組み合わせる構成にすることを特徴としている。
【００１２】
この請求項２の梱包箱によれば、前記第一〜第四側板を立ち上げた使用状態において、前記第二および第三側板が前記谷折れ線で折れ曲がりにくくなる。
【００１３】
請求項３の梱包箱は、第四上面フラップに、先端を第四側板の方向に向けた切り出し片を形成して、この切り出し片を前記第四上面フラップの先端部を前記切り出し片の基端近傍で底面側に折り込むことによって反転可能にし、この反転した前記切り出し片を差込可能な差込口を前記第一側板に設けることを特徴としている。
【００１４】
この請求項３の梱包箱によれば、前記第四上面フラップの長さをどのように設定した場合でも前記第一〜第四側板を折り畳んだ不使用の状態において、前記第四上面フラップの先端部が側方にはみ出ないようにすることができる。
【００１５】
請求項４記載の梱包箱は、第二および第三側板にそれぞれ、各山折れ線より上面側であって第四側板側の側端部に連結片を一体で設けて、これらの連結片と前記第四側板とをそれぞれ着脱自在な連結手段により分離可能にすることを特徴としている。
【００１６】
この請求項４の梱包箱によれば、前記第一〜第四側板を立ち上げたときに前記第二および第三側板と前記第四側板とのあいだが開いてしまわないようにすることができる。
【００１７】
請求項５記載の梱包箱は、第一〜第四側板の底面側の端部に、底面を構成する第一〜第四底面フラップをそれぞれ一体で設け、前記第一〜第三側板と前記第一〜第三上面フラップおよび前記第一〜第三底面フラップとを一体で形成するとともに、前記第四側板と前記第四上面フラップおよび前記第四底面フラップとを一体で形成することを特徴としている。
【００１８】
この請求項５記載の梱包箱によれば、二枚の板状部材、つまり、前記第一〜第三側板とこれらに取り付けている前記第一〜第三上面フラップおよび前記第一〜底面フラップからなる板状部材と、前記第四側板とこの側板に取り付いている前記上面フラップおよび前記底面フラップからなる板状部材とによって構成することができる。なお、前記各底面フラップは内側に折り込んだ後にテープやステープル、接着剤等で留めておいても良いし、組み底を採用しても良い。
【００１９】
請求項６記載の梱包箱は、山折れ線と谷折れ線とが交差する部分に、切り目または切欠きを設けることを特徴とする。
【００２０】
この請求項６記載の梱包箱によれば、あらかじめ山折れ線と谷折れ線とが交差する部分に切り目または切欠きを設けることにより、前記第一〜第三側板の折り畳みと立ち上げとが繰り返し行われることで傷みが生じ易い部分の破損を防ぐことができる。
【考案の効果】
【００２１】
請求項１の梱包箱は、使用状態や保管状態に手早く形を変えることができるので物流の効率化を図ることができる。
【００２２】
請求項２の梱包箱は、使用状態において第二および第三側板が谷折れ線で折り曲がりにくので扱い扱い易い。
【００２３】
請求項３の梱包箱は、不使用時に保管がし易くなる。
【００２４】
請求項４の梱包箱は、使用状態における第一〜第三側板と第四側板との隙間をなくすことができる。
【００２５】
請求項５の梱包箱は、一度に折り畳みを行う第一〜第三側板を含む板状部材と、第一〜第三側板とは独立して立ち上げや折り畳みを行う第四側板を含む板状部材とに分けて構成しているので製作しやすくなる。また、連結片やラップ代なども一体で設けることができるようになる。
【００２６】
請求項６の梱包箱は、耐久性を上げることができる。
【考案を実施するための最良の形態】
【００２７】
以下に、本考案にかかる梱包箱の実施形態について、図１および図２を参照しつつ説明する。
【００２８】
図１は梱包箱の使用状態を示す斜視図であり、図２は梱包箱の展開図である。図１および図２に示すように、梱包箱１は段ボールでできた直方体状の形状を有しており、周囲の第一〜第四側板２・３・４・５は、第一側板２と第四側板５とが対向し、かつ、第二側板３と第三側板４とが対向した位置関係になっている。
【００２９】
上面６は４枚の第一〜第四上面フラップ７・８・９・１０で構成されており、これらの第一〜第四上面フラップ７・８・９・１０は第一〜第四側板２・３・４・５にそれぞれ取り付いたかたちになっている。一方、底面１１は４枚の第一〜第四底面フラップ１２・１３・１４・１５からなる組み底になっており、これらの第一〜第四底面フラップ１２・１３・１４・１５は第一〜第四側板２・３・４・５にそれぞれ取り付いたかたちになっている。
【００３０】
なお、底面１１は組み底になっているが、第一〜第四底面フラップ１２・１３・１４・１５どうしを粘着テープやステープルを使って留めたり、接着剤でくっつけることによって構成することもできる。また、この梱包箱１はプラスチックなどの紙以外の材料を用いて形成することもできる。
【００３１】
第一〜第四側板２・３・４・５の底面側には、底面１１に平行な山折れ線１６・１７・１８・１９がそれぞれ設けられており、これらの山折れ線１６・１７・１８・１９は高さ方向において同じ位置になっている。また、第二および第三側板３・４にはそれぞれ斜めの谷折れ線２０・２１が、各山折れ線１７・１８の第一側板２に近い方の端から対角線状に、かつ、第二および第三上面フラップ８・９に跨って設けられている。
【００３２】
この梱包箱１は、第一〜第三側板２・３・４と第一〜第三上面フラップ７・８・９および第一〜第三底面フラップ１２・１３・１４が一体で形成されている板状部材Ａと、第四上面フラップ１０と第四上面フラップ１０および第四底面フラップ１５が一体で形成されている板状部材Ｂとからなる構成になっている。
【００３３】
そして、第二および第三側板３・４にはそれぞれ、第四側板５に近い方の側端部に、二つの連結片２２・２３・２４・２５が上下に並んで設けられており、各山折れ線１７・１８よりも底面側の連結片２４・２５が第四側板５の両側端部とそれぞれステープルによって連結されている。また、各山折れ線１７・１８より上側の連結片２２・２３にはパイル状のベルクロファスナ２６・２７が取り付けられており、このベルクロファスナ２６・２７に対応するフック状のベルクロファスナ２８・２９が、第四側板５の山折れ線１９より上側の両側端部にそれぞれ取り付けられていて、第四側板５は山折れ線１９より上面側において第二および第三側板３・４と着脱自在に連結されている。
【００３４】
そして、上面６の第一上面フラップ７の先端部には、２本の切り込みが間隔をあけて設けられ、これにより第一上面フラップ７の両側にそれぞれ差込片３０・３１が形成されている。これらの差込片３０・３１は、第二および第三上面フラップ８・９に形成されている各差込口３２・３３にそれぞれ差し込み可能になっている。
【００３５】
また、第四上面フラップ１０は、先端部に２本の切り込み３４・３５が間隔をあけて設けられており、これらの切り込み３４・３５を、第二および第三上面フラップ８・９の先端部に設けられている係止部３６・３７にそれぞれ嵌め込むことにより、第一〜第三上面フラップ７・８・９に係止される。さらに、第四上面フラップ１０には切り出し片３８が形成されており、この切り出し片３８は先端が第四側板５の方向を向いた状態になるように形成され、第四上面フラップ１０を切り出し片３８の基端部近傍で底面側に折り返すことにより反転する仕組みになっている。そして、この切り出し片３８を差し込むための差込口３９が、第一側板２の山折れ線１６より上側に形成されている。
【００３６】
それから、板状部材Ａには第二および第三側板３・４にそれぞれ手穴４０・４１が形成されており、谷折れ線２０と山折れ線１７とが交差する部分および谷折れ線２１と山折れ線１８とが交差する部分にそれぞれ、切り目４２・４３が設けられている。
【００３７】
次に、梱包箱１を不使用時等においてコンパクトにする方法を図３〜５を参照しつつ説明する。
【００３８】
梱包箱１を図１の状態から、第一上面フラップ７の両方の差込片３０・３１を第二および第三上面フラップ８・９の差込口３２・３３からそれぞれ引き抜くとともに、第二および第三上面フラップ８・９の係止部３６・３７から第四上面フラップ１０を外して、第一〜第四上面フラップを立ち上げた状態にする。
【００３９】
そして、第二および第三側板３・４の連結片２２・２３のベルクロファスナ２６・２７と第四側板５のベルクロファスナ２８・２９との連結を切り離し、第四側板５の山折れ線１９より上側を第二および第三側板３・４と分離する。
【００４０】
次に、第四上面フラップ１０の先端部を、切り出し片３８の基端部近傍で底面側に折り込み、切り出し片３８を反転させ（図３および図４）、この状態で第一側板２を内側に折り畳む。そうすると、第一側板２が内側に倒れるにつれて、第二および第三側板３・４が谷折れ線２０・２１で内側に折れ曲がり、第二および第三側板３・４が第一側板２と共に折り畳まれる。それから、第四側板５を折り畳んで第一側板２の上に重ね、第四上面フラップ１０の切り出し片３８を第一側板２の差込口３９に差し込む。
【００４１】
このようにして第一〜第四側板２・３・４・５を折り畳むことにより、梱包箱１を底面１１から山折れ線１６・１７・１８・１９までの高さに変更することができる（図５）。図５のように高さを低くしコンパクトにした梱包箱１は場所をとらないため、保管スペースを省略することができる。
【００４２】
この梱包箱１を使用する場合は、上記の手順を逆にして第一〜第四側板２・３・４・５を立ち上げ元の状態に戻す。
【００４３】
以上のように、梱包箱１の高さ変更をする場合、第一〜第三側板２・３・４の立ち上げと折り畳みは、第一側板２だけを動かせば行うことができるので、コンパクトにする場合や使用状態に復元する場合など、サイズ変更を手軽に行うことができる。
【００４４】
また、第二および第三側板３・４と第四側板５とは着脱自在になっており、第一〜第四上面フラップ７・８・９・１０は組み立て式になっているので繰り返し使用することができ、横持ち用の箱としても適している。
【図面の簡単な説明】
【００４５】
【図１】本考案にかかる梱包箱の使用状態を示す斜視図。
【図２】図１の梱包箱の展開図であり（ａ）は板状部材Ａ、（ｂ）は板状部材Ｂ。
【図３】図１の梱包箱の第一〜第四側板を折り畳む途中の状態を示す斜視図。
【図４】図１の梱包箱の第一〜第四側板を折り畳む途中の状態で、第四側板の先端部を折り返した状態を示す斜視図。
【図５】図１の梱包箱をコンパクトにした状態を示す斜視図。
【符号の説明】
【００４６】
１  梱包箱
２〜５  第一〜第四側板
６  上面
７〜１０  第一〜第四上面フラップ
１１  底面
１２〜１５  第一〜第四底面フラップ
１６〜１９  山折れ線
２０、２１  谷折れ線
２２〜２５  連結片
２６〜２９  ベルクロファスナ
【図１】
0003127187.tif 000003
【図２】
0003127187.tif 000004
【図３】
0003127187.tif 000005
【図４】
0003127187.tif 000006
【図５】
0003127187.tif 000007